(57)【要約】【課題】構造が簡単で作動が確実な錠止機構を提供する。【解決手段】錠箱内において中央部を回動自在に支承され、室内側のサムターン及びシリンダ錠に夫々連結されたカム板３と、このカム板３と重合するように配設され、一方向に移動可能に案内されたデッドボード９とを設け、カム板３にはアルキメデス渦巻き線或いはこれに近似した作動孔７と、この作動孔７のカム板中心軸から最も遠い部分に連接された一定曲率の係止孔９とを形成し、一方、デッドボードに上記作動孔及び係止孔に係合する被駆動ピン１４を突設し、この被駆動ピン１４をカム板の作動孔７及び係止孔８を連接した開口に摺動可能に係合させる。【選択図】  図２
2005023541.tif 000002
【特許請求の範囲】
【請求項１】
錠箱内において中央部を回動自在に支承され、室内側のサムターンには直接に、シリンダ錠にはクラッチを介して夫々連結されたカム板と、このカム板と重合するように配設され、一方向に移動可能に案内されたデッドボードとを有し、カム板にはアルキメデス渦巻き線或いはこれに近似した作動孔と、この作動孔のカム板中心軸から最も遠い部分に連接された一定曲率の係止孔とを形成し、一方、デッドボードに上記作動孔及び係止孔に係合する被駆動ピンを突設し、この被駆動ピンをカム板の作動孔及び係止孔を連接した開口に摺動可能に係合させたことを特徴とする錠止機構。
【発明の詳細な説明】
【０００１】
【発明が属する技術分野】
この発明は、新規な錠止機構に関する。
【０００２】
【従来の技術】
例えば扉の錠止機構は、錠箱の中に内蔵され、シリンダ錠或いは室内側のサムターンとデッドボルトとを連結する機構である。
【０００３】
この錠止機構は、例えば直接サムターン軸に、或いはクラッチを介してシリンダ錠の内筒に、夫々回動自在に支持されたデッドカムの作動アーム（図示せず）の自由端を、デッドボルトの側端縁に形成された略Ｖ字形の切欠に係合させ、合鍵やサムターンにより作動アームを回動させることによりデッドボルトを錠箱のフロント板から出没させる。
【０００４】
【発明が解決しようとする課題】
上記した錠止機構は、勿論所期の機能を果たし、長年にわたって多用されてきた実績があり、その信頼性は高いが、一面その作動ストロークが比較的短く、また、フロント板から突出して扉枠のストライク孔に投入されたデッドボルトを錠箱内に押し戻す不正解錠を防止するため機構が複雑になる。
【０００５】
そこで、この発明は、構造が簡単でしかも作動ストロークを長くできる新規な錠止機構を提供することを目的としている。
【０００６】
【課題を解決するための手段】
上記の目的を達成するため、この発明は、錠箱内において中央部を回動自在に支承され、室内側のサムターンには直接に、シリンダ錠にはクラッチを介して夫々連結されたカム板と、このカム板と重合するように配設され、一方向に移動可能に案内されたデッドボードとを有し、カム板にはアルキメデス渦巻き線或いはこれに近似した作動孔と、この作動孔のカム板中心軸から最も遠い部分に連接された一定曲率の係止孔とを形成し、一方、デッドボードに上記作動孔及び係止孔に係合する被駆動ピンを突設し、この被駆動ピンをカム板の作動孔及び係止孔を連接した開口に摺動可能に係合させたことを特徴とする。
【０００７】
【実施例】
以下、この発明の一実施例を図面を参照して説明する。
図１及び図２において符号１は錠箱を示し、この錠箱１内には、扉２の表面に平行なカム板３が設けられている。
【０００８】
図及び図３に示すように、このカム板３は略菱形の板状体であり、その中央部を貫通するようにかしめ付けられたカム軸４を介して、錠箱１に回動可能に支承されている。
【０００９】
このカム軸４の室外側（図１及び図４で左側）の端部は、クラッチ５を介してシリンダ錠６の内筒に、室内側の端部はサムターンに夫々連結されていることは従来の錠止機構における前記デッドカムと同様である。
【００１０】
そして、上記カム板の広い方の一端部（図３で左端部）には、作動孔７と係止孔８とが連接して開口している。
【００１１】
上記作動孔７は、所謂アルキメデス渦巻き線或いはこれに近似した曲線をなしている。
ここで、アルキメデス渦巻き線とは、図３におけるＲがＲ＝ｒ＋ｋθ（ｋ：定数）となる曲線である。
【００１２】
また、上記作動孔７に連接された係止孔８は、そのカム軸４の中心を見込む角度にわたって曲率が一定の開口である。
【００１３】
一方、図１及び図２に示すように、錠箱１内には、カム板３と重合するようにして、細長い板状のデッドボード９が上下方向に移動可能に案内されている。
【００１４】
図示の実施例では、図２に示すように、錠箱１の４本の支柱１１、１１に側端縁を摺接させ、中央部に開口した長円としての案内孔１２（図５参照）をカム軸の鍔部１３（図４参照）に摺動可能に係合させてこれらを案内部材としている。
【００１５】
そして、上記デッドボード９のカム板３と対向する面（図１で左側の面）には、図５及び図６に示すように、被駆動ピン１４が突設されており、この被駆動ピン１４は、図２に示すように、上記作動孔７及び係止孔８を連接した開口に摺動可能に係合している。
【００１６】
また、デッドボード９の上下端部は室外側に直角に折り曲げられ、この折曲げ部に、夫々タップカラー１５がかしめ付けられている。
【００１７】
そして、デッドボード９の上方及び／又は下方のタップカラー１５（図示の実施例では上方のタップカラー）には、下端に雄ねじ部を形成した連結ロッド１６の下端部が螺合している。
【００１８】
更にまた、図２及び図３において符号１７はカムばねを示し、このカムばね１７の一端はカム板３の他端に植設されたばね軸１８に、他端は錠箱の一部を内側に切り起こして形成された係止部１９（図１及び図２参照）に夫々巻き掛けられている。
【００１９】
上記のように構成された本発明による錠止機構は、室外側からは合鍵を介して、或いは室内側からはサムターンを介して、図２においてカム板３を反時計方向に回動させると（図示せず）、その作動孔７と被駆動ピン１４との間に生じる楔作用により、デッドボード及びこれと一体の連結ロッド１６は上昇する。
【００２０】
更にカム板３を反時計方向に回動させると、被駆動ピン１４は係止孔８に係入し、以降カム板３は所定の角度回動を継続できるが、連結ロッド１６の上昇は止まる。
【００２１】
この過程において、図２から明らかなように、カム板３は上記カムばね１７を押し縮めつつ回動するが、そのばね軸１８が係止部１９の上部を通過した後は、上記とは逆にカムばね１７が拡開し、カム板３に弾力を及ぼすようになる。
【００２２】
このようにして、カムばね１７はカム板の回動にスナップアクション性を付与し、使い勝手を高める。これは後述の解錠時にも同様である。
【００２３】
上記したカム板３の回動に伴う連結ロッドの上昇を利用し、例えば連結ロッド１６の上端を扉枠の上枠下面に開口した係止孔に投入し、所謂グレモン錠のように連結ロッド１６を介して扉を扉枠に錠止することができる。
【００２４】
或いは、出願人が先に特願２００３−１２５７６９を以て提案した調整ストライクに係脱させる掛金機構を、デッドボード９を介して連結ロッド１６を上昇させることにより、作動させることもできる。
【００２５】
何れにしても、この錠止機構はデッドボード９を介して連結ロッド１６を上昇させることにより錠止機構の錠止機能を果たすので、更に詳細な説明は省略する。
【００２６】
上記した錠止時には、被駆動ピン１４は係止孔８に係入しているので、不正解錠の目的で連結ロッド１６を下降させようとする力はカム軸４を介して錠箱に担持され、したがって錠止状態は安定に保たれる。
【００２７】
解錠するときには、上記とは逆に、カム板３を図２において時計方向に回動させる。すると、暫くは被駆動ピン１４が係止孔８と係合するのでデッドボード９は動かないが、被駆動ピン１４が作動孔８と係合するに致ると、これらの間に生じる楔作用により、機構が上記施錠時とは逆方向に動き、デッドボード９が下降して解錠される。
【００２８】
【発明の効果】
以上の説明から明らかなように、この発明は、アルキメデス渦巻き線、或いはこれと近似した曲線をなす作動孔を開口させたカム板と、このカム板と重合するように配設され、カム板と対向する面に突設された被駆動ピンを作動孔に係合させたデッドボードとを有し、カム板をシリンダ錠及びサムターンに連結するようにしたので、カム板を合鍵或いはサムターンにより回動させることによりデッドボードを直線方向に移動させることができ、デッドボードの動きを利用し、錠止部材を駆動して錠止する、という所期の効果を奏する。
【００２９】
また、錠止時被駆動ピンを曲率が変らない係止孔と係合させるようにしたので、不正解錠の目的で連結ロッドを錠箱内に押込もうとする力はカム軸を介して錠箱に担持され、錠止状態が安定に保たれる。
【００３０】
更にまた、被駆動ピンと作動孔及び係止孔の係合は機構学で謂うところの確動カムを構成するので、作動が確実である、等種々の効果を奏する。
【図面の簡単な説明】
【図１】この発明の一実施例による錠止機構を有する錠箱の断面図。
【図２】その錠箱の裏面図。
【図３】カム板の外面側を示す正面図。
【図４】その側面図。
【図５】デッドボードの平面図。
【図６】その側面図。
【符号の説明】
１  錠箱
２  扉
３  カム板
４  カム軸
５  クラッチ
６  シリンダ錠
７  作動孔
８  係止孔
９  デッドボード
１２  案内孔
１３  鍔部
１４  被駆動ピン
１７  カムばね
１８  ばね軸
１９  係止部
【図１】
2005023541.tif 000003
【図２】
2005023541.tif 000004
【図３】
2005023541.tif 000005
【図４】
2005023541.tif 000006
【図５】
2005023541.tif 000007
【図６】
2005023541.tif 000008